(57)【要約】【課題】標準電波を受信して計時時刻を修正可能な計時回路及び計時装置に関し、時刻の修正状況を認識できる計時回路及び計時装置を提供することを目的とする。【解決手段】本発明は、時刻修正部により計時部で計時されている計時時刻が修正されたときに時刻修正フラグを第１の設定状態とし、操作部の指示により前記計時部で計時されている計時時刻が修正されたときに該時刻修正フラグを第２の設定状態とする時刻修正フラグ設定部を有し、時刻表示状態時には、表示部に計時部の計時時刻を表示させ、操作部の操作により時刻修正状態表示状態が選択されたときには、時刻修正フラグ設定部に設定された時刻修正フラグを参照し、時刻表示フラグが第１の設定状態のときには表示部の表示を時刻表示とは異なる第１の表示状態とし、時刻修正フラグが第２の設定状態のときには表示部の表示を時刻表示及び第１の表示状態とは異なるの第２の表示状態にすることを特徴とする。【選択図】　図３
2004061444.tif 000002
【特許請求の範囲】
【請求項１】
時刻を計時する計時部と、
標準電波に基づいて前記計時部で計時されている計時時刻を修正する第１の時刻修正部と、
操作部からの指示によって前記計時部で計時されている計時時刻を修正する第２の時刻修正部と、
前記操作部の指示によって前記計時部で計時されている時刻が前記第１の時刻修正部による修正か、前記第２の時刻修正部による修正かを表示部に表示させる表示制御部とを有することを特徴とする計時回路。
【請求項２】
前記表示制御部は、前記第１の時刻修正部により前記計時部で計時されている計時時刻が修正されたときに時刻修正フラグを第１の設定状態とし、前記第２の時刻修正部により前記計時部で計時されている計時時刻が修正されたときに該時刻修正フラグを第２の設定状態とする時刻修正フラグ設定部を有し、
時刻表示状態時には、表示部に前記計時部の計時時刻を表示させ、操作部の操作により前記時刻修正状態を表示する表示状態が選択されたときには、前記時刻修正フラグ設定部に設定された前記時刻修正フラグを参照し、前記時刻表示フラグが前記第１の設定状態のときには該表示部の表示を前記時刻表示とは異なる第１の表示状態とし、前記時刻修正フラグ設定部で設定された前記時刻修正フラグが前記第２の設定状態のときには該表示部の表示を前記時刻表示及び該第１の表示状態とは異なるの第２の表示状態とすることを特徴とする請求項１記載の計時回路。
【請求項３】
前記時刻表示は、２桁の時表示部及び分表示部と、該時表示部と該分表示部とを分割する分割記号部とを有し、
前記第１の表示状態及び前記第２の表示状態は、少なくとも前記時表示部の前記分割記号部側の桁を表示しない表示状態であることを特徴とする請求項２記載の計時回路。
【請求項４】
前記表示制御部は、所定時間経過後に前記計時部で計時されている時刻が、前記第１の時刻修正部による修正か、前記第２の時刻修正部による修正かを示す表示を解除することを特徴とする請求項１記載の計時回路。
【請求項５】
時刻を計時する計時部と、
前記計時部で計時された時刻を表示する表示部と、
標準電波を受信する受信部と、
前記受信部で受信した標準電波から時刻情報を抽出する時刻情報抽出部と、
前記時刻情報抽出部で抽出された時刻情報に基づいて前記計時部で計時されている計時時刻を修正する時刻修正部と、
前記計時部で計時されている計時時刻を修正する指示を行う操作部と、
前記操作部の操作に基づいて前記計時部で計時されている時刻が前記時刻修正部による修正か、前記操作部の指示による修正かを前記表示部に表示させる表示制御部とを有することを特徴とする計時装置。
【請求項６】
前記表示制御部は、前記時刻修正部により前記計時部で計時されている計時時刻が修正されたときに時刻修正フラグを第１の設定状態とし、前記操作部の指示により前記計時部で計時されている計時時刻が修正されたときに該時刻修正フラグを第２の設定状態とする時刻修正フラグ設定部を有し、
時刻表示状態時には、前記表示部に前記計時部の計時時刻を表示させ、前記操作部の操作により時刻修正状態表示状態が選択されたときには、前記時刻修正フラグ設定部に設定された前記時刻修正フラグを参照し、前記時刻表示フラグが前記第１の設定状態のときには前記表示部の表示を前記時刻表示とは異なる第１の表示状態とし、前記時刻修正フラグが前記第２の設定状態のときには前記表示部の表示を前記時刻表示及び該第１の表示状態とは異なるの第２の表示状態とすることを特徴とする請求項５記載の計時装置。
【請求項７】
前記表示部は、２桁の時表示部及び分表示部と、該時表示部と該分表示部とを分割する分割記号部とを有し、
前記表示制御部は、前記第１の表示状態及び前記第２の表示状態では少なくとも前記時表示部の前記分割記号側の桁を表示しないようにすることを特徴とする請求項６記載の計時装置。
【請求項８】
前記表示制御部は、所定時間経過後に前記表示部に表示されている前記時刻修正部による修正か、前記操作部の指示による修正かを示す表示を解除することを特徴とする請求項６記載の計時回路。
【請求項９】
２桁の時表示部と、
２桁の分表示部と、
前記時表示部と該分表示部との間に設けられ、前記時表示部と前記分表示部とを分割する分割記号部と、
少なくとも前記分割記号及び前記時表示部の前記分割記号側の桁を表示しないように前記時表示部及び前記分表示部並びに前記分割記号部を制御することで、時刻以外の情報を表示させる表示制御部とを有することを特徴とする計時装置。
【発明の詳細な説明】
【０００１】
【発明の属する技術分野】
本発明は計時回路及び計時装置に係り、特に、標準電波を受信して計時時刻を修正可能な計時回路及び計時装置に関する。
【０００２】
【従来の技術】
日本においては、時間、及び、周波数の標準、並びに、協定世界時（ＵＴＣ）に基づく日本標準時（ＪＳＴ）を国内外に知らせるために、標準電波ＪＪＹを送信している。標準電波ＪＪＹは、周波数４０ｋＨｚ又は６０ｋＨｚの搬送波にタイムコードを重畳したものである。この標準電波ＪＪＹを受信し、タイムコードを復調することにより標準時刻を取得できる。
【０００３】
電波時計は、この標準電波ＪＪＹを受信し、標準時刻情報を取得して、取得した標準時刻情報に基づいて表示時刻を修正するものである。標準電波は極めて微弱であるため、周囲のノイズなどの影響を受け易く、常時、標準電波を受信して修正できるものではない。
【０００４】
一方、自動車などに搭載される時計は、温度変化など環境の変化が大きく計時時刻に誤差が発生し易い。このため、表示時刻を自動的に正確な時刻である標準時刻に修正する電波時計を自動車に搭載することが望まれている。
【０００５】
しかし、自動車の周囲では電磁ノイズなどが多く存在する。また、自動車のエンジンが停止されたときには、時計はバッテリにより駆動され、このとき、標準電波を受信するために受信回路を常時、駆動すると、バッテリが消耗されるため、標準電波の受信回数が制限される。
【０００６】
よって、電波時計を自動車に搭載した場合には、標準電波を正常に受信できる頻度が低下することが予測される。
【０００７】
また、電波時計は、標準電波による時刻修正機能の他に加えて、ユーザの手動による時刻修正機能を備えていた。
【０００８】
【発明が解決しようとする課題】
しかるに、標準電波による時刻修正機能及び手動による時刻修正機能の両方が備えられた電波時計ではいずれの修正機能により修正が行われたかを認識できないと、表示時刻が狂っている場合に、正常に動作しているにもかかわらず、誤動作であると認識されるなどの問題点があった。
【０００９】
また、車載用の時計は小型、軽量化、視認性の観点から、表示部及び操作部の機能が必要最小限に制限されていた。
【００１０】
図１は車載用時計の外観図を示す。
【００１１】
図１に示すように車載用時計１は表示部１１及び操作部１２から構成される。表示部１１は、時表示部２１、分表示部２２、時分を分割するための記号部２３から構成されている。また、操作部１２は、時修正スイッチ３１、分修正スイッチ３２、セットスイッチ３３から構成されている。時修正スイッチ３１は、時間表示を修正するための操作スイッチである。分修正スイッチ３２は、分表示を修正するための操作スイッチである。セットスイッチ３３は、分表示を「００」にセットするための操作スイッチである。
【００１２】
図１に示すように車載用時計１では、図１に示すように表示及び操作スイッチが必要最小限に制限されていたため、現在の表示時刻が標準電波による時刻修正機能によるものか、手動による時刻修正機能によるものかを表示を行ったり、その表示状態を切り換えるための操作ボタンを設けたりすることができないなどの問題点があった。
【００１３】
本発明は上記の点に鑑みてなされたもので、時刻の修正状況を認識できる計時回路及び計時装置を提供することを目的とする。
【００１４】
【課題を解決するための手段】
本発明は、操作部の操作に基づいて標準電波により計時部で計時されている時刻が修正されたのか、あるいは、操作部の指示により計時部で計時されている時刻が修正されたのかを表示部に表示させることを特徴とする。
【００１５】
また、本発明は、時刻修正部により計時部で計時されている計時時刻が修正されたときに時刻修正フラグを第１の設定状態とし、操作部の指示により前記計時部で計時されている計時時刻が修正されたときに該時刻修正フラグを第２の設定状態とする時刻修正フラグ設定部を有し、時刻表示状態時には、表示部に計時部の計時時刻を表示させ、操作部の操作により時刻修正状態表示状態が選択されたときには、時刻修正フラグ設定部に設定された時刻修正フラグを参照し、時刻表示フラグが第１の設定状態のときには表示部の表示を時刻表示とは異なる第１の表示状態とし、時刻修正フラグが第２の設定状態のときには表示部の表示を時刻表示及び第１の表示状態とは異なるの第２の表示状態にすることを特徴とする。
【００１６】
本発明によれば、操作部を操作し、表示部の表示を参照することによって標準電波により時刻が修正されたのか、あるいは、操作部の指示により時刻が修正されたのかを認識できる。このため、時刻の狂いが誤動作によるものか、操作部の操作ミスによるものかを容易に判断できる。
【００１７】
また、本発明は、表示部を２桁の時表示部及び分表示部と、該時表示部と該分表示部とを分割する分割記号部とから構成し、第１の表示状態及び第２の表示状態では少なくとも分割記号及び時表示部の分割記号側の桁を表示しないようにすることを特徴とする。
【００１８】
本発明によれば、時刻表示とは明らかにことなる表示により時刻修正状況を表示させることができるため、誤認識を防止できる。
【００１９】
さらに、本発明は、所定時間経過後に、計時部で計時されている時刻が時刻修正部による修正か、操作部の指示による修正かを示す表示を解除することを特徴とする。
【００２０】
本発明によれば、所定時間経過後に、計時部で計時されている時刻が時刻修正部による修正か、操作部の指示による修正かを示す表示を解除することにより、表示部の表示を自動的に時刻表示に戻すことができる。
【００２１】
【発明の実施の形態】
図２は本発明の一実施例のブロック構成図を示す。
【００２２】
本実施例の計時装置１００は、アンテナ１１１、受信回路１１２、計時用ＩＣ（ｉｎｔｅｇｒａｔｅｄ　ｃｉｒｃｕｉｔ）１１３、時修正スイッチ１１４、分修正スイッチ１１５、セットスイッチ１１６、発振子１１７、表示器１１８を含む構成とされている。
【００２３】
アンテナ１１１は、標準電波を受信し、受信回路１１２に供給する。受信回路１１２は、アンテナ１１１からの標準電波を復調し、復調された信号を計時用ＩＣ１１３の端子Ｔ１に供給する。
【００２４】
計時用ＩＣ１１３は、一つのＩＣチップであり、端子Ｔ１〜Ｔ８を有する。端子Ｔ１には、受信回路１１２が接続され、受信回路１１２から標準電波を復調した信号が供給される。端子Ｔ２には、時修正スイッチ１１４が接続され、時修正指示信号が供給される。端子Ｔ３には、分修正スイッチ１１５が接続され、分修正指示信号が供給される。端子Ｔ４には、セットスイッチ１１６が接続され、セット指示信号が供給される。
【００２５】
端子Ｔ５と端子Ｔ６との間には発振子１１７が接続される。端子Ｔ７には、電源電圧Ｖｃｃが印加される。端子Ｔ８には、表示器１１８が接続され、表示信号が出力される。
【００２６】
次に計時用ＩＣ１１３について詳細に説明する。
【００２７】
図３は計時用ＩＣ１１３のブロック構成図を示す。
【００２８】
計時用ＩＣ１１３は、標準電波デコード回路１２１、時分修正回路１２２、時刻カウンタ１２３、受信状況カウンタ１２４、オフセットカウンタ１２５、加算器１２６、選択回路１２７、表示制御回路１２８、出力回路１２９、発振回路１３０、クロック生成回路１３１、電源生成回路１３２から構成されている。
【００２９】
標準電波デコード回路１２１には、受信回路１１２から端子Ｔ１に供給される標準電波に応じた信号が供給される。標準電波デコード回路１２１は、標準電波に応じた信号をデコードし、標準電波に含まれる時刻コードを抽出する。
【００３０】
標準電波デコード回路１２１で抽出された時刻コードは、時刻カウンタ１２３及び受信状況カウンタ１２４に供給される。時刻カウンタ１２３は、現在の時刻カウント値を標準電波デコード回路１２１から供給された時刻コードに変更する。
【００３１】
また、時刻カウンタ１２３は、時分修正回路１２２により時刻カウント値を修正可能とされている。時分修正回路１２２には、端子Ｔ２から時修正指示信号が供給され、端子Ｔ３から分修正指示信号が供給され、端子Ｔ４からセット指示信号が供給される。さらに、時分修正回路１２２には、表示制御回路１２８より表示状態切替信号が供給される。
【００３２】
時分修正回路１２２は、表示制御回路１２８からの表示状態切替信号が通常表示状態を示す信号であるときには、時分修正回路１２２は、通常表示状態時には、端子Ｔ２からの時修正指示信号に応じて時桁が１ステップずつカウントアップするように時刻カウンタ１２３のカウント値をカウントアップし、また、端子Ｔ３からの分修正指示信号に応じて分桁が１ステップずつカウントアップするように時刻カウンタ１２３のカウント値をカウントアップし、さらに、端子Ｔ４からのセット指示信号に応じて分桁が「００」となるように時刻カウンタ１２３のカウント値をセットする。これによって、時刻カウンタ１２３の出力時刻カウント値が標準電波の時刻コードに応じた時刻に変更できるとともに、手動で時刻カウンタ１２３の出力時刻カウント値を修正することができる。時刻カウンタ１２３の出力時刻カウント値は、加算器１２６に供給される。
【００３３】
また、時分修正回路１２２は、表示制御回路１２８からの表示状態切替信号がオフセット表示状態を示す信号であるときには、端子Ｔ２からの時修正指示信号に応じて時桁が１ステップずつカウントアップするようにオフセットカウンタ１２５のカウント値をカウントアップし、また、端子Ｔ３からの分修正指示信号に応じて分桁が１ステップずつカウントアップするようにオフセットカウンタ１２５のカウント値をカウントアップする。これによって、オフセットカウンタ１２５の出力オフセットカウント値が設定される。オフセットカウンタ１２５の出力オフセットカウント値は、加算器１２６及び選択回路１２７に供給される。
【００３４】
加算器１２６は、時刻カウンタ１２３の出力時刻カウント値とオフセットカウンタ１２５の出力オフセットカウント値とを加算する。加算器１２６により現在時刻にオフセットを持たせることができる。すわわち、所定時間だけ進めて表示させることが可能となる。加算器１２６の出力カウント値は、選択回路１２７に供給される。
【００３５】
選択回路１２７には、表示制御回路１２８から修正状況表示信号及び選択信号が供給される。選択回路１２７は、表示制御回路１２８からの選択信号が通常表示状態を選択する信号である時には、加算器１２６の出力カウント値を選択し、出力回路１２９に供給し、また、表示制御回路１２８からの選択信号が修正状況表示状態を選択する信号である時には、表示制御回路１２８から供給される修正状況表示信号を選択し、出力回路１２９に供給し、さらに、表示制御回路１２８からの選択信号がオフセット表示状態を選択する信号である時には、オフセットカウンタ１２５の出力オフセットカウント値を選択し、出力回路１２９に供給する。
【００３６】
出力回路１２９は、選択回路１２７で選択され、信号に基づいて表示器駆動信号を生成し、端子Ｔ８から出力する。例えば、出力回路１２９は、選択回路１２７から時刻カウント値が供給された場合には、表示器１１８に時刻カウント値に応じた時刻が表示されるように表示器１８を駆動する表示器駆動信号を生成する。
【００３７】
また、出力回路１２９は、選択回路１２７から修正状況表示信号が供給された場合には、表示器１１８に修正状況表示信号に応じた第１〜第４の修正状況表示が行われるように表示器１８を駆動する表示器駆動信号を生成する。なお、第１〜第４の修正状況表示については後で詳細に説明する。さらに、出力回路１２９は、選択回路１２７からオフセットカウント値が供給された場合には、表示器１１８にオフセットカウント値に応じたオフセット値が表示されるように表示器１８を駆動する表示器駆動信号を生成する。
【００３８】
また、受信状況カウンタ１２４は、標準電波デコード回路１２１で時刻コードが検出されると、リセットされ、カウントを開始する。受信状況カウンタ１２４のカウント値は、表示制御回路１２８に供給される。
【００３９】
表示制御回路１２８には、端子Ｔ２から時修正指示信号が供給され、端子Ｔ３から分修正指示信号が供給される。表示制御回路１２８は、端子Ｔ２から時修正指示信号及び端子Ｔ３から分修正指示信号に応じて表示状態の切り替えを行っている。
【００４０】
表示制御回路１２８は、通常表示状態の状態では、時分修正回路１２２により時刻カウンタ１２３の出力カウント値がカウントアップされるように表示状態切替信号によって時分修正回路１２２を制御している。表示制御回路１２８は、通常表示状態の状態で時修正指示信号と分修正指示信号とが略同時に供給されると、修正状況表示状態にする。表示制御回路１２８は修正状況表示状態では、受信状況カウンタ１２４からのカウント値、及び、修正状況フラグＦに応じて修正状況表示信号を生成し、選択回路１２７に供給するとともに、選択回路１２７により表示制御回路１２８からの修正状況表示信号が選択されるように選択回路１２７に選択信号を供給する。修正状況フラグＦは、受信時状況カウンタ１２４がリセットされるときに、「１」に設定され、端子Ｔ２〜端子Ｔ４から時修正指示信号、分修正指示信号、セット指示信号のいずれかが供給されると、「０」に設定される。
【００４１】
表示制御回路１２８は、修正状況表示状態で所定時間、例えば、６秒、経過すると、表示状態を自動的にオフセット表示状態にする。表示制御回路１２８は、オフセット表示状態では、時分修正回路１２２によりオフセットカウンタ１２５の出力オフセットカウント値がカウントアップされるように表示状態切替信号によって時分修正回路１２２を制御するとともに、選択回路１２７によりオフセットカウンタ１２５の出力オフセットカウント値が選択されるように選択回路１２７に選択信号を供給する。
【００４２】
表示制御回路１２８は、オフセット表示状態の状態で、端子Ｔ２からの時修正指示信号と端子Ｔ３からの分修正指示信号とが略同時に供給されるか、又は、端子Ｔ２からの時修正指示信号又は端子Ｔ３からの分修正指示信号が所定時間、例えば、１５秒供給されないと、通常表示状態に戻る。
【００４３】
発振回路１３０は、端子Ｔ５、Ｔ６とに接続されており、計時用ＩＣ１１３の外部に接続される発振子１１７とともに、所定周波数の発振信号を生成する。発振回路１３０で生成された発振信号は、クロック生成回路１３１に供給される。クロック生成回路１３１は、発振回路１３０からの発振信号に基づいて各種クロックを生成し、計時用ＩＣ１３１の各部に供給する。
【００４４】
また、電源生成回路１３２には、端子Ｔ７から電源電圧Ｖｃｃが供給される。電源生成回路１３２は、電源電圧Ｖｃｃから所定の駆動電圧を生成し、計時用ＩＣ１３１の各部に供給する。
【００４５】
次に電波時計１００の状態遷移について詳細に説明する。
【００４６】
図４は本発明の一実施例の状態遷移図を示す。
【００４７】
まず、通常表示状態Ｓ１は、時刻カウンタ１２３の出力カウント値にオフセットカウンタ１２５の出力オフセットカウント値を加算したカウント値に応じた時刻が表示器１１８に表示された状態である。通常表示状態Ｓ１で時修正スイッチ１１４がオンされると、時桁送りを行う時桁送り状態Ｓ２となる。時桁送り状態Ｓ２は、時刻カウンタ１２３の出力カウント値の時桁を１ステップ分、カウントアップする状態であり、表示器１１８の時桁が１時間分アップする。
【００４８】
時桁送り状態Ｓ２で、直ぐに時修正スイッチ１１４がオフされると、通常表示状態Ｓ１に戻る。さらに、時桁送り状態Ｓ２で、継続して時修正スイッチ１１４がオンされると、時桁早送り状態Ｓ３となる。時桁早送り状態Ｓ３は、時刻カウンタ１２３の出力時刻カウント値を早送りでカウントアップする状態であり、表示器１１８の時桁が早送りでアップされる。時桁送り状態Ｓ４及び時桁早送り状態Ｓ３から時修正スイッチ１１４がオフされると、通常表示状態Ｓ１に戻る。
【００４９】
また、通常表示状態Ｓ１で分修正スイッチ１１５がオンされると、分桁送りを行う分桁送り状態Ｓ４となる。分桁送り状態Ｓ４は、時刻カウンタ１２３の出力カウント値の分桁を１ステップ分、カウントアップする状態であり、表示器１１８の分桁が１分間分アップされる。
【００５０】
分桁送り状態Ｓ４で、直ぐに分修正スイッチ１１５がオフされると、通常表示状態Ｓ１に戻る。さらに、分桁送り状態Ｓ４で、継続して分修正スイッチ１１５がオンされると、分桁早送り状態Ｓ５となる。分桁早送り状態Ｓ５は、時刻カウンタ１２３の出力時刻カウント値を早送りでカウントアップする状態であり、表示器１１８の分桁が早送りでアップされる。分桁送り状態Ｓ４及び分桁早送り状態Ｓ５から分修正スイッチ１１５がオフされると、通常表示状態Ｓ１に戻る。
【００５１】
また、通常表示状態Ｓ１でセットスイッチ１１６がオンされると、００分セット状態Ｓ６となる。００分セット状態Ｓ６は、時刻カウンタ１２３の出力カウント値の分桁を「０」にセットする状態であり、表示器１１８の分桁が「００」とされる。なお、このとき、分桁の値によって時桁の値を１カウント加算するようにしてもよい。００分セット状態Ｓ６で、セットスイッチ１１６がオフされると、通常表示状態Ｓ１に戻る。
【００５２】
さらに、通常表示状態Ｓ１で時修正スイッチ１１４と分修正スイッチ１１５とが略同時にオンされると、修正状況表示状態Ｓ７になる。修正状況表示状態Ｓ７は、時刻カウンタ１２３の出力時刻カウント値が標準電波によって修正されたものか、時修正スイッチ１１４及び分修正スイッチ１１５によって修正されたものかを表示器１１８に表示する状態であり、第１〜第４の状況表示状態が存在する。
【００５３】
ここで、表示制御回路１２９の修正状況表示状態Ｓ７における処理について詳細に説明する。
【００５４】
図５は表示制御回路１２９の修正状況表示処理のフローチャート、図６は第１〜第４の修正状況表示の表示例を示す図である。図６（Ａ）は第１の修正状況表示、図６（Ｂ）は第２の修正状況表示、図６（Ｃ）は第３の修正状況表示、図６（Ｄ）は第４の修正状況表示を示す。同図中、図１と同一構成部分には同一符号を付し、その説明は省略する。
【００５５】
表示制御回路１２９は、修正状況表示状態Ｓ７になると、ステップＳ７−１でまず、表示制御回路１２９の内部にセットされる修正状況フラグＦを参照して、時刻カウンタ１２３の出力カウント値の最終修正が標準電波によるものか否かを判定する。
【００５６】
表示制御回路１２９は、ステップＳ７−１で、修正状況フラグＦが「１」であり、時刻カウンタ１２３の出力カウント値の最終修正が標準電波によるものである場合には、ステップＳ７−２で受信状況カウンタ１２４の出力カウント値を参照して、受信状況カウンタ１２４の出力カウント値が所定時間Ｔ０、例えば、１４４時間以内か否かを判定する。所定時間Ｔ０は、例えば、無修正時における表示時刻の誤差が所望の許容範囲内に存在することができる時間に応じて設定される。
【００５７】
表示制御回路１２９は、ステップＳ７−２で受信状況カウンタ１２４の出力カウント値が所定時間Ｔ０以内であれば、ステップＳ７−３で表示器１１８の表示が図６（Ａ）に示すような第１の修正状況表示となるような修正状況表示信号を選択回路１２７に供給する。これにより、過去、所定時間Ｔ０以内に標準電波により時刻修正が行われたことがわかる。また、表示制御回路１２９は、ステップＳ７−２で受信状況カウンタ１２４の出力カウント値が所定時間Ｔ０を超えている場合は、ステップＳ７−４で表示器１１８の表示が図６（Ｂ）に示すような第２の修正状況表示となるような修正状況表示信号を選択回路１２７に供給する。これによって長時間、標準電波により時刻修正が行われていないことが分かる。
【００５８】
さらに、表示制御回路１２９は、ステップＳ７−１で、修正状況フラグＦが「０」であり、時刻カウンタ１２３の出力カウント値の最終修正が時修正スイッチ１１４、及び、分修正スイッチ１１５によるものである場合には、ステップＳ７−５で受信状況カウンタ１２４の出力カウント値を参照して、受信状況カウンタ１２４の出力カウント値が所定時間Ｔ０、例えば、１４４時間以内か否かを判定する。
【００５９】
表示制御回路１２９は、ステップＳ７−５で受信状況カウンタ１２４の出力カウント値が所定時間Ｔ０以内であれば、ステップＳ７−６で表示器１１８の表示が図６（Ｃ）に示すような第３の修正状況表示となるような修正状況表示信号を選択回路１２７に供給する。ユーザは、第３の修正状況表示を見ることにより、時修正スイッチ１１４、及び、分修正スイッチ１１５により最後に時刻修正が行われたことが分かる。
【００６０】
また、表示制御回路１２９は、ステップＳ７−５で受信状況カウンタ１２４の出力カウント値が所定時間Ｔ０を超えている場合は、ステップＳ７−７で表示器１１８の表示が図６（Ｄ）に示すような第４の修正状況表示となるような修正状況表示信号を選択回路１２７に供給する。ユーザは、第４の修正状況表示を見ることによって、時修正スイッチ１１４、及び、分修正スイッチ１１５により最後に時刻修正が行われており、かつ、長時間、標準電波による時刻修正が行われていないことが分かる。
【００６１】
なお、上記第１〜第４の修正状況表示は、図６に示すように分割記号部２３及び時表示部２１の分割記号部２３側の桁を非表示とした、時刻表示とは明らかに異なる表示とされている。
【００６２】
ここで、図４に戻って説明を続ける。
【００６３】
表示制御回路１２８は、修正状況表示状態Ｓ７で６秒経過すると、オフセット表示状態Ｓ８になる。オフセット表示状態Ｓ８は、オフセットカウンタ１２５の出力オフセットカウント値を表示器１１８に表示する状態である。
【００６４】
オフセット表示状態Ｓ８で時修正スイッチ１１４がオンされると、時桁送り状態Ｓ９となる。時桁送り状態Ｓ９は、オフセットカウンタ１２５の出力オフセットカウント値の時桁を１ステップ分、カウントアップする状態であり、表示器１１８の時桁が１時間分アップする。
【００６５】
時桁送り状態Ｓ９で、直ぐに時修正スイッチ１１４がオフされると、オフセット表示状態Ｓ８に戻る。さらに、時桁送り状態Ｓ９で、継続して時修正スイッチ１１４がオンされると、時桁早送り状態Ｓ１０となる。時桁早送り状態Ｓ１０は、オフセットカウンタ１２５の出力時刻カウント値を早送りでカウントアップする状態であり、表示器１１８の時桁が早送りでアップされる。時桁送り状態Ｓ９９及び時桁早送り状態Ｓ１０から時修正スイッチ１１４がオフされると、オフセット表示状態Ｓ８に戻る。
【００６６】
また、オフセット表示状態Ｓ８で分修正スイッチ１１５がオンされると、分桁送りを行う分桁送り状態Ｓ１１となる。分桁送り状態Ｓ１１は、オフセットカウンタ１２５の出力カウント値の分桁を１ステップ分、カウントアップする状態であり、表示器１１８の分桁が１分間分アップされる。
【００６７】
分桁送り状態Ｓ１１で、直ぐに分修正スイッチ１１５がオフされると、オフセット表示状態Ｓ８に戻る。さらに、分桁送り状態Ｓ１１で、継続して分修正スイッチ１１５がオンされると、分桁早送り状態Ｓ１２となる。分桁早送り状態Ｓ１２は、オフセットカウンタ１２５の出力オフセットカウント値を早送りでカウントアップする状態であり、表示器１１８の分桁が早送りでアップされる。分桁送り状態Ｓ１１、及び、分桁早送り状態Ｓ１２から分修正スイッチ１１５がオフされると、オフセット表示状態Ｓ８に戻る。
【００６８】
また、オフセット表示状態Ｓ８で、時修正スイッチ１１４及び分修正スイッチ１１５がオンされることなく１５秒経過、あるいは、時修正スイッチ１１４及び分修正スイッチ１１５を略同時にオンさせると、通常表示状態Ｓ１に戻る。
【００６９】
以上のように、本実施例の電波時計１００は、時修正スイッチ１１４と分修正スイッチ１１５とを略同時にオンすることによって、表示器１１８の表示状態を修正表示状態とすることができる。ユーザがこの表示器１１８に表示された修正表示を見ることにより、現在の時刻が標準電波による修正によるものか、手動による修正によるものかを認識できる。よって、ユーザは現在の時刻が狂っていた場合に修正表示を見ることで、その狂いが装置の誤動作によるものか、ユーザの誤操作によるものかを容易に判断できる。
【００７０】
また、通常表示状態、修正表示状態、オフセット表示状態の切り替えも従来と同様な時修正スイッチ１１４、分修正スイッチ１１５、セットスイッチ１１６の操作により行える。よって、簡単な構成で実現できる。
【００７１】
さらに、修正表示状態時、図６に示すような時刻表示とは明らかにことなる表示を行い、修正状況を表示することにより、表示器１１８を従来と同様な時刻表示のみの構成にできるため、簡単な構成で実現できる。また、時計として必要最小限の表示形態であるので、小型化が可能となる。
【００７２】
【発明の効果】
上述の如く、本発明によれば、操作部を操作し、表示部の表示を参照することによって標準電波により時刻が修正されたのか、あるいは、操作部の指示により時刻が修正されたのかを認識できるため、時刻の狂いが誤動作によるものか、操作部の操作ミスによるものかを容易に判断でき、時刻の修正状況を認識できる等の特長を有する。
【００７３】
また、本発明によれば、表示部を２桁の時表示部及び分表示部と、該時表示部と該分表示部とを分割する分割記号部とから構成し、第１の表示状態及び第２の表示状態では少なくとも分割記号及び時表示部の分割記号側の桁を表示しないようにすることにより、時刻表示とは明らかにことなる表示により時刻修正状況を表示させることができるため、誤認識を防止できる等の特長を有する。
【００７４】
本発明によれば、所定時間経過後に、計時部で計時されている時刻が時刻修正部による修正か、操作部の指示による修正かを示す表示を解除することにより、表示部の表示を自動的に時刻表示に戻すことができる等の特長を有する。
【図面の簡単な説明】
【図１】計時装置の外観図である。
【図２】本発明の一実施例のブロック構成図である。
【図３】計時用ＩＣ１１３のブロック構成図である。
【図４】本発明の一実施例の状態遷移図である。
【図５】表示制御回路１２９の修正状況表示処理のフローチャートである。
【図６】第１〜第４の修正状況表示の表示例を示す図である。
【符号の説明】
１００：電波時計
１１１：アンテナ、１１２：受信回路、１１３：計時ＩＣ
１１４：時修正スイッチ、１１５：分修正スイッチ、１１６：セットスイッチ
１１７：発振素子、１１８：表示器
１２１：標準電波でコード回路、１２２：時分修正回路
１２３：時刻カウンタ、１２４：受信状況カウンタ
１２５：オフセットカウンタ、１２６：加算器、１２７：選択回路
１２８：表示制御回路、１２９：出力回路、１３０：発振回路
１３１：クロック生成回路、１３２：電源生成回路
【図１】
2004061444.tif 000003
【図２】
2004061444.tif 000004
【図３】
2004061444.tif 000005
【図４】
2004061444.tif 000006
【図５】
2004061444.tif 000007
【図６】
2004061444.tif 000008